(57)【要約】【課題】  構造を簡易にして、製造し易い介護用車椅子を提供する。【解決手段】  座部１と、座部１に回動可能に設けられる背凭部１０と、座部１の下部に設けられる移動用の車輪２０と、背凭部１０を床面に対して起立した起立位置Ｓ及び起立位置Ｓから後方に回動され床面に対して倒伏した倒伏位置Ｄの２位置に移動可能にするリクライニング機構と、背凭部１０の上部１２に傾動可能に設けられる頭支持部４０とを備え、頭支持部４０の傾動位置を調整する位置調整機構を設けた構成とした。【選択図】図１
2008253661.tif 000002
【特許請求の範囲】
【請求項１】
座部と、該座部に回動可能に設けられる背凭部と、上記座部の下部に設けられる移動用の車輪と、上記背凭部を床面に対して起立した起立位置及び該起立位置から後方に回動され床面に対して倒伏した倒伏位置の２位置に移動可能にするリクライニング機構とを備えたことを特徴とする介護用車椅子。
【請求項２】
上記リクライニング機構を、上記背凭部を上記起立位置及び上記倒伏位置の２位置に回動可能に支持する支持軸と、上記座部に回動可能に設けられるとともにペダルが固着され該ペダルを踏むことによって回動させられて上記背凭部を座部に対してロックするロック位置及び該ロックを解除するロック解除位置の２位置に位置させられる可動体と、上記背凭部に設けられ上記可動体がロック位置に位置するときに該可動体に係止され該可動体がロック解除位置に向けて回動するときに当該可動体から係止解除される係止体と、上記可動体をロック位置方向に付勢するバネとを備えて構成したことを特徴とする請求項１記載の介護用車椅子。
【請求項３】
上記背凭部の上部両端に、後方へ向けて手押し用のハンドルを夫々突設し、上記リクライニング機構により該背凭部が上記倒伏位置に位置させられたとき、該ハンドルの先端部が床面に接触して当該背凭部を床面に支承するようにしたことを特徴とする請求項１又は２記載の介護用車椅子。
【請求項４】
上記背凭部の上部に頭支持部を傾動可能に設け、該頭支持部の傾動位置を調整する位置調整機構を設けたことを特徴とする請求項１乃至３何れかに記載の介護用車椅子。
【請求項５】
上記位置調整機構を、上記背凭部に対して上記頭支持部を回動可能に支持する支持軸と、上記背凭部の上部に固定部材を介して設けられるナットと、上記頭支持部の後方に突出し且つ上記ナット側に垂下して設けられ上下方向に延びる長孔を有した舌片状の突出部材と、該突出部材の長孔から挿入され上記ナットに螺合されるとともに該螺合により上記頭支持部の所望の傾動位置で上記突出部をナットに対して押圧して固定するボルトとを備えて構成したことを特徴とする請求項４記載の介護用車椅子。
【請求項６】
上記座部及び上記背凭部の少なくともいずれか一方の両側部に手が挿入可能な貫通孔を夫々設け、該貫通孔の外側部を手で持つことが可能なグリップとして構成したことを特徴とする請求項１乃至５何れかに記載の介護用車椅子。
【発明の詳細な説明】
【技術分野】
【０００１】
本発明は、日常生活で車椅子を使用している被介護者が着座状態で移動することが可能な介護用の車椅子に関し、特に、入浴時に用いられる介護用車椅子に関する。
【背景技術】
【０００２】
従来より、この種の介護用車椅子としては、特許文献１（特開２００５−３３４２２０号公報）に掲載されたものが知られている。
【０００３】
これは、図１４及び図１５に示すように、車輪１０１付きの台車ユニット１００に、椅子ユニット１１０を分離自在に載置し、椅子フレーム１１１に設けた座部１１２に背凭部１１３を傾動自在かつ複数角度で固定自在に夫々設けるとともに、背凭部１１３に頭支持部１１４を傾動自在かつ複数角度で固定自在に設けたものである。
【０００４】
座部１１２に対して背凭部１１３を傾動自在に設け、この背面側に、傾動状態を固定したり、傾動角度を調節する傾動固定自在機構１１５を設けている。また、背凭部１１３に対して頭支持部１１４を傾動自在に設け、この背面側に、傾動状態を固定したり、傾動角度を調節する傾動固定自在機構１１６を設けている。
【０００５】
傾動固定自在機構１１５，１１６は、背凭部１１３及び頭支持部１１４に設けた嵌合体１１８に傾動棒１１７をスライド自在に取り付けるとともに、嵌合体１１８に設けた連結材１１９を背凭部１１３及び頭支持部１１４の中途部に枢着している。また、嵌合体１１８の側面に設けた貫通孔１２１と連通するシリンダー１２２を取り付けるとともに、シリンダー１２２内を進退するピストン１２３に嵌合ピン１２４を取り付け、嵌合ピン１２４の後端に操作ワイヤ１２０を連結している。
【０００６】
傾動角度を調整するときには、操作ワイヤ１２０を引っ張ることにより、スプリング１２５の付勢力に抗して嵌合ピン１２４がピン孔１２６から離脱し、背凭部１１３及び頭支持部１１４を傾動させることにより、嵌合体１１８は傾動棒１１７に沿ってスライドし、所望角度の状態で操作ワイヤ１２０を放すことにより、スプリング１２５の付勢力で嵌合ピン１２４はピン孔１２６のいずれかに嵌合し、固定される。
【０００７】
【特許文献１】特開２００５−３３４２２０号公報
【発明の開示】
【発明が解決しようとする課題】
【０００８】
しかしながら、この従来の介護用車椅子においては、背凭部１１３及び頭支持部１１４を複数角度で固定自在にしているため、所望角度に調整することはできるが、傾動固定自在機構１１５，１１６の構造が複雑になり、製造することが難しいという問題があった。
【０００９】
本発明は、このような問題点に鑑みてなされたもので、構造を簡易にして、製造し易い介護用車椅子を提供することを目的とする。
【課題を解決するための手段】
【００１０】
このような目的を達成するため、本発明の介護用車椅子は、座部と、該座部に回動可能に設けられる背凭部と、上記座部の下部に設けられる移動用の車輪と、上記背凭部を床面に対して起立した起立位置及び該起立位置から後方に回動され床面に対して倒伏した倒伏位置の２位置に移動可能にするリクライニング機構とを備えた構成とした。
【００１１】
これにより、使用するときは、背凭部を起立位置にした状態で、被介護者を座部に着座させる。そして、被介護者を浴槽近くまで移動させる。このとき、車輪が設けられているので、この車輪を転動させることにより、容易に移動させることができる。浴槽近くまで移動したら、背凭部を倒伏位置まで倒す。この状態で、介護者が車椅子ごと持ち上げて浴槽内に入れる。これによって、被介護者が楽な体勢で入浴することができる。この場合、背凭部は、起立位置と倒伏位置との２位置のみに移動するので、操作が単純になり、それだけ、リクライニング機構の構造を簡易にして製造することができる。
【００１２】
そして、必要に応じ、上記リクライニング機構を、上記背凭部を上記起立位置及び上記倒伏位置の２位置に回動可能に支持する支持軸と、上記座部に回動可能に設けられるとともにペダルが固着され該ペダルを踏むことによって回動させられて上記背凭部を座部に対してロックするロック位置及び該ロックを解除するロック解除位置の２位置に位置させられる可動体と、上記背凭部に設けられ上記可動体がロック位置に位置するときに該可動体に係止され該可動体がロック解除位置に向けて回動するときに当該可動体から係止解除される係止体と、上記可動体をロック位置方向に付勢するバネとを備えた構成としている。
【００１３】
これにより、背凭部を起立位置から倒伏位置に位置させるときは、ペダルを踏む。この場合、可動体はバネの付勢力に抗してロック位置からロック解除位置へ向けて回動させられ、係止体を係止解除するようになる。この係止体は、背凭部に設けられているので、背凭部の起立位置での固定も解除され、背凭部は倒伏位置へ移動するようになる。一方、背凭部を倒伏位置から起立位置に位置させるときは、背凭部を持ち上げて回動させる。そして、起立位置に至ると、可動体は、バネの付勢力によって、ロック解除位置からロック位置へ付勢されているので、係止体は、可動体に係止される。このように、リクライニング機構は、簡易な機構なので、操作が容易に行なわれる。
【００１４】
また、必要に応じ、上記背凭部の上部両端に、後方へ向けて手押し用のハンドルを夫々突設し、上記リクライニング機構により該背凭部が上記倒伏位置に位置させられたとき、該ハンドルの先端部が床面に接触して当該背凭部を床面に支承するようにした構成としている。これにより、ハンドルを把持して車椅子を押すことができるようになり、被介護者を移動させることが容易になる。また、ハンドルは、背凭部が倒伏位置に位置させられたとき、背凭部を床面に支承するようになる。この場合、ハンドルの背凭部に対する突出長さにより、背凭部の倒伏角度が決定される。
【００１５】
更に、必要に応じ、上記背凭部の上部に頭支持部を傾動可能に設け、該頭支持部の傾動位置を調整する位置調整機構を設けた構成とした。これにより、頭支持部を背凭部に対して適宜に傾動させ、位置調整機構により、頭支持部の位置を所望の位置にすることができる。例えば、入浴時、特に洗髪時に流水が顔側に流れないようにすることができる。
【００１６】
そしてまた、必要に応じ、上記位置調整機構を、上記背凭部に対して上記頭支持部を回動可能に支持する支持軸と、上記背凭部の上部に固定部材を介して設けられるナットと、上記頭支持部の後方に突出し且つ上記ナット側に垂下して設けられ上下方向に延びる長孔を有した舌片状の突出部材と、該突出部材の長孔から挿入され上記ナットに螺合されるとともに該螺合により上記頭支持部の所望の傾動位置で上記突出部をナットに対して押圧して固定するボルトとを備えた構成としている。
【００１７】
突出部材に長孔を設けたことにより、この長孔の範囲内で、頭支持部の位置を所望の位置にすることができ、頭支持部は、ボルトをナットに螺合させるだけで固定できるので、位置調整機構の構造が簡易になるとともに、頭支持部の位置調整が容易になる。
【００１８】
更にまた、必要に応じ、上記座部及び上記背凭部の少なくともいずれか一方の両側部に手が挿入可能な貫通孔を夫々設け、該貫通孔の外側部を手で持つことが可能なグリップとして構成している。これにより、介護者が車椅子ごと持ち上げて浴槽に入れる際、グリップを把持して持ち上げることができるので、車椅子の持ち運びが容易になる。
【発明の効果】
【００１９】
本発明の介護用車椅子によれば、背凭部は、起立位置と倒伏位置との２位置のみに移動するので、操作が単純になり、それだけ、リクライニング機構の構造を簡易にして製造することができる。特に、背凭部を起立位置にした状態から倒伏位置まで倒す際の操作が容易になり、介護者が車椅子ごと持ち上げて浴槽に入れる作業が容易になる。
【発明を実施するための最良の形態】
【００２０】
以下、添付図面に基づいて本発明の実施の形態に係る介護用車椅子を説明する。
図１乃至図１３には、本発明の実施の形態に係る介護用車椅子Ｋを示している。この介護用車椅子Ｋの基本的構成は、座部１と、背凭部１０と、車輪２０と、リクライニング機構３０と、頭支持部４０とを備えてなる。
【００２１】
座部１は、図１乃至図４，図１０，図１１に示すように、人が座る板状の座り部２と、座り部２の後方に突出し後述のリクライニング機構３０が設けられる左右一対の取付部３とを備え、樹脂で一体成形されている。座り部２の両側部には貫通孔５が設けられている。
貫通孔５は、手が挿入可能な大きさ及び形状に形成され、貫通孔５の外側部６を手で持つことが可能なグリップ７として構成されている。このグリップ７には、滑り止め加工がなされている。
【００２２】
背凭部１０は、図１乃至図３，図５及び図６に示すように、人の背が当接する板状に形成されており、左右に突出した一対の基端部１１が、座部１に対して、回動可能に設けられている。詳しくは、基端部１１には、後述の係止体３３が設けられており、座部１の取付部３には、後述の接続体３５が設けられており、この係止体３３と接続体３５とは後述の支持軸３１を介して回動可能に連結され、これにより、背凭部１０は、座部１に対して、回動可能になっている。このような背凭部１０には、上部１２の両端１３に、後方へ向けて手押し用のハンドル１４が夫々突設され、樹脂で一体形成されている。また、ハンドル１４の先端部１９には、滑り止め加工がなされている。
【００２３】
このようなハンドル１４は、背凭部１０が倒伏位置Ｄに位置させられたとき、ハンドル１４の先端部１９が床面Ｙに接触して、背凭部１０を床面Ｙに支承するようになっている。ハンドル１４の突出長さは、背凭部１０の倒伏位置Dにおいて、例えば、背凭部１０が床面Ｙに対して、１０°の角度に位置させられるように設定されている。また、背凭部１０の両側部１６には、上述した座部１に設けられたものと同様の貫通孔５が設けられ、貫通孔５の外側部６を手で持つことが可能なグリップ７として構成されている。このグリップ７には、滑り止め加工がなされている。更に、背凭部１０の上部１２の中央には、突起部１５が設けられている。この突起部１５は、背凭部１０に一体成形されている。
【００２４】
頭支持部４０は、図１乃至図３，図７に示すように、背凭部１０の突起部１５に傾動可能に設けられている。この頭支持部４０及び背凭部１０の突起部１５には、頭支持部４０の傾動位置を調整する位置調整機構５０が設けられている。
【００２５】
位置調整機構５０は、図２及び図３，図７乃至図９に示すように、支持軸５１と、固定部材５２及びナット５３と、突出部材５４と、ボルト５５とを備えて構成されている。
【００２６】
支持軸５１は、頭支持部４０を背凭部１０に対して傾動可能に支持するもので、背凭部１０の突起部１５に貫通され、頭支持部４０に嵌挿されている。この支持軸５１は、例えば、ステンレスで構成され、棒状に形成されている。
固定部材５２は、背凭部１０の突起部１５に、後方に向けて突出して設けられている。この固定部材５２には、ナット５３が溶接されて設けられている。ナット５３は、例えば、Ｍ６サイズのものが使用されている。
突出部材５４は、頭支持部４０に、後方に向けて突出して設けられている。この突出部材５４は、上下方向に延びる長孔５６を有して舌片状に形成され、ナット５３側に垂下して設けられている。
ボルト５５は、突出部材５４の長孔５６から挿入されて、ナット５３に螺合されるものである。頭支持部４０を所望の傾動位置に位置させ、このボルト５５によって、突出部材５４をナット５３に対して押圧して固定する。
【００２７】
車輪２０は、図１乃至図４，図１０に示すように、座部１の下部に設けられる。この車輪２０の前輪２０ａは、座部１の前方両端近傍に設けられた、例えば、ステンレスで構成されたベース部材２１を介して設けられている。ベース部材２１は、矩形で板状に形成されている。また、後輪２０ｂは、後述のリクライニング機構３０を構成する接続体３５を介して設けられている。
【００２８】
リクライニング機構３０は、図２乃至図４，図１０乃至図１３に示すように、座部１の取付部３と、背凭部１０の基端部１１とに設けられ、背凭部１０を床面Ｙに対して起立した起立位置Ｓ及び起立位置Ｓから後方に回動され床面Ｙに対して倒伏した倒伏位置Ｄの２位置に移動可能にするものである。このリクライニング機構３０は、支持軸３１と、可動体３２と、係止体３３と、バネ３４とを備えて構成されている。また、支持軸３１及び可動体３２は、座部１の取付部３に設けられる接続体３５に設けられている。この接続体３５は、一対設けられている。
【００２９】
支持軸３１は、背凭部１０を起立位置Ｓ及び倒伏位置Ｄの２位置に回動可能に支持するもので、例えば、ステンレスで構成され、棒状に形成されている。支持軸３１の一端３１ａ及び他端３１ｂは、一対の接続体３５の挿通孔３６に夫々挿通され、ワッシャー４８及びスナップリング４９で止着されている。
可動体３２は、座部１の取付部３に設けられる接続体３５に回動可能に設けられるとともに、ペダル４が固着され、ペダル４を踏むことによって回動させられて、背凭部１０を座部１に対してロックするロック位置Ｒ及びロックを解除するロック解除位置Ｕの２位置に位置させられる。この可動体３２は、一対の接続体３５に架設されて設けられ、可動体３２を回動可能に支持する支持軸３７が挿通されている。この支持軸３７は、例えば、ステンレスで構成され、棒状に形成されている。また、この可動体３２には、後述の係止体３３を係止する係り部３８が設けられている。
係止体３３は、背凭部１０に設けられ、可動体３２がロック位置Ｒに位置するときに可動体３２の係り部３８に係止され、可動体３２がロック解除位置Ｕに向けて回動するときに可動体３２から係止解除される。この係止体３３には、背凭部１０を回動可能に支持する支持軸３１が挿通されている。また、係止体３３には、可動体３２に係止される係止部３９が設けられている。この係止体３３は、一対設けられている。
バネ３４は、背凭部１０を回動可能に支持する支持軸３１と可動体３２間に設けられ、可動体３２をロック位置Ｒ方向に付勢するものである。
【００３０】
このように構成される本発明の実施の形態に係る介護用車椅子Ｋを使用するときは、例えば、以下のようにする。先ず、図１（Ａ）及び図２に示すように、背凭部１０の起立位置Ｓにおいて、介護用車椅子Ｋに被介護者を着座させる。介護者は、ハンドル１４を把持して押し、浴槽近くまで被介護者を移動させる。介護用車椅子Ｋには、車輪２０が設けられているので、被介護者を浴槽近くまで容易に移動させることができる。
【００３１】
浴槽近くまで移動したら、図１（Ｂ）及び図３に示すように、リクライニング機構３０により、背凭部１０を倒伏位置Ｄに位置させる。詳しくは、先ず、ペダル４を踏む。これにより、ペダル４が下方に移動させられるため、支持軸３７を軸にして反対方向に位置している可動体３２の係り部３８は、ロック位置Ｒから上方に向けて回動させられる。この係り部３８の上面３８ａに係止されている係止体３３の係止部３９は、係り部３８によって上方に持ち上げられるように回動させられ、可動体３２がロック解除位置Ｕへ向けて回動している途中で係り部３８から外れて係止解除される。この係止体３３は、背凭部１０に設けられているので、背凭部１０の起立位置Ｓでの固定も解除される。係止解除された係止体３３の係止部３９は、下方へ向けて回動するようになるので、背凭部１０を後方に引くことにより、回動させることが可能となる。
【００３２】
背凭部１０は、係止体３３とともに、支持軸３１を介して回動させられ、起立位置Ｓから倒伏位置Ｄへ移動させられる。背凭部１０を後方に倒していくと、背凭部１０の後方に突出しているハンドル１４の先端部１９が床面Ｙに接触する。このハンドル１４の先端部１９によって、背凭部１０は支承され、倒伏位置Ｄに位置させられるようになる。このことから、ハンドル１４の背凭部１０に対する突出長さにより、背凭部１０の倒伏角度が決定されるようになる。実施の形態では、背凭部１０が床面Ｙに対して、１０°の角度に位置させられるように設定されている。背凭部１０を倒伏位置Ｄに位置させることで、被介護者を楽な体勢で入浴させることができる。
【００３３】
次に、この状態で、被介護者を介護用車椅子Ｋに着座させたまま、介護用車椅子Ｋとともに浴槽内に入浴させる。浴槽は、周知の一般的な浴槽や、車椅子とともに入浴させるために、側部に開口を有し、車椅子を押して入浴させられるもの等があるが、本発明の介護用車椅子Ｋは、どのような浴槽でも対応でき、浴槽の形状に合わせて入浴させることができる。例えば、周知されている一般的な浴槽の場合は、座部１又は背凭部１０に設けられているグリップ７を把持し、介護用車椅子Ｋを持ち上げて、被介護者とともに浴槽内に入浴させる。浴槽近くは、浴槽内に貯留された湯等の湯気によって車椅子に水滴がつき易く、介護用車椅子Ｋを持ち上げた際に、滑りやすいが、グリップ７に滑り止め加工が施されているため、安全に入浴させることができる。
【００３４】
また、例えば、入浴中あるいは洗髪する際等には、頭支持部４０を適宜の位置に傾動させて、被介護者の頭を最適位置に位置させることができる。この場合、先ず、ボルト５５を緩めてナット５３から外す。これにより、頭支持部４０の固定が解除され、頭支持部４０を傾動可能にすることができる。次に、この状態で、頭支持部４０を後方に倒して所望の位置に傾動させる。位置が決まったら、ボルト５５を突出部材５４の長孔５６から挿入し、ナット５３に螺合させる。これによって、頭支持部４０は固定されるようになる。
【００３５】
頭支持部４０は、ボルト５５をナット５３に螺合させるだけで固定できるので、位置調整機構５０の構造が簡易になるとともに、頭支持部４０の位置調整が容易になる。また、頭支持部４０を背凭部１０の後方に傾動させることで、入浴時、特に洗髪時に流水が顔側に流れないようにすることができる。
【００３６】
入浴が終了したら、介護用車椅子Ｋを、浴槽内から出す。入浴終了後しばらくは、体を拭いても汗が止まるまでには時間がかかるが、この間、背凭部１０を倒伏位置Ｄに位置させることで、楽な体勢を維持できる。次に、背凭部１０を起立位置Ｓに戻す。入浴時は、ペダル４を踏んでいないので、ペダル４は、バネ３４の付勢力によって元の位置に戻されている。詳しくは、バネ３４によって、可動体３２が、ロック解除位置Ｕからロック位置Ｒへ付勢されるようになる。これによって、ペダル４及び可動体３２の係り部３８はロック位置Ｒに位置させられるようになる。この状態で、背凭部１０を起こしていくと、係止体３３の係止部３９は、可動体３２の係り部３８の上面３８ａに係止される。係止体３３は、背凭部１０に設けられているので、背凭部１０は、起立位置Ｓで固定されるようになる。
【００３７】
このように、背凭部１０は、起立位置Ｓと倒伏位置Ｄとの２位置にのみ回動させられるので、それだけ、リクライニング機構の構造を簡易にすることができる。また、リクライニング機構３０は、可動体３２と係止体３３とのロック及びロック解除のみで成されているので、この点でも、リクライニング機構の構造を簡易にすることができる。
【００３８】
尚、上記実施の形態において、ハンドル１４の突出長さを背凭部１０が床面Ｙに対して１０°になるように設けたが、必ずしもこれに限定されるものではなく、どのような長さにして良く、適宜変更して差支えない。
また、座部１，背凭部１０，頭支持部４０の形状は上述したものに限定されるものではなく、夫々、樹脂で一体成形されているものであれば、どのような形状に形成しても良い。
【００３９】
更に、上記実施の形態において、ベース部材２１及び支持軸３１，３７，５１をステンレスで構成したが、必ずしもこれに限定されるものではなく、どのような材質のものでも良く、適宜変更して差支えない。
更にまた、上記実施の形態において、介護用車椅子Ｋを入浴時に用いたが、必ずしもこれに限定されるものではなく、日常生活に使用しても良いことは勿論である。
【図面の簡単な説明】
【００４０】
【図１】本発明の実施の形態に係る介護用車椅子を示す図であり、（Ａ）は起立位置の状態で示す斜視図、（Ｂ）は倒伏位置の状態で示す斜視図である。
【図２】本発明の実施の形態に係る介護用車椅子を起立位置の状態で示す側面図である。
【図３】本発明の実施の形態に係る介護用車椅子を倒伏位置の状態で示す側面図である。
【図４】本発明の実施の形態に係る座部を示す側面図（Ａ），平面図（Ｂ），正面図（Ｃ）である。
【図５】本発明の実施の形態に係る背凭部を示す側面図（Ａ）である。
【図６】本発明の実施の形態に係る背凭部を示す平面図（Ｂ），正面図（Ｃ）である。
【図７】本発明の実施の形態に係る頭支持部及び位置調整機構を示す側面図である。
【図８】本発明の実施の形態に係る固定部材を示す平面図（Ａ），側面図（Ｂ），正面図（Ｃ）である。
【図９】本発明の実施の形態に係る突出部材を示す平面図（Ａ），側面図（Ｂ），正面図（Ｃ）である。
【図１０】本発明の実施の形態に係る車輪及びリクライニング機構を示す一部拡大側面図である。
【図１１】本発明の実施の形態に係るリクライニング機構を示す一部拡大正面図である。
【図１２】本発明の実施の形態に係るリクライニング機構を示す斜視図である。
【図１３】本発明の実施の形態に係るリクライニング機構を示す分解斜視図である。
【図１４】従来の介護用車椅子の一例を示す側面図である。
【図１５】従来の介護用車椅子の傾動固定自在機構を示す断面側面図である。
【符号の説明】
【００４１】
Ｋ  介護用車椅子
Ｓ  起立位置
Ｄ  倒伏位置
Ｒ  ロック位置
Ｕ  ロック解除位置
Ｙ  床面
１  座部
２  座り部
３  取付部
４  ペダル
５  貫通孔
６  外側部
７  グリップ
１０  背凭部
１１  基端部
１２  上部
１３  両端
１４  ハンドル
１５  突起部
１６  両側部
１７  背面
１８  正面
１９  先端部
２０  車輪
２０ａ  前輪
２０ｂ  後輪
２１  ベース部材
３０  リクライニング機構
３１  支持軸
３１ａ  一端
３１ｂ  他端
３２  可動体
３３  係止体
３４  バネ
３５  接続体
３６  挿通孔
３７  支持軸
３８  係り部
３８ａ  上面
３９  係止部
４０  頭支持部
４８  ワッシャ
４９  スナップリング
５０  位置調整機構
５１  支持軸
５２  固定部材
５３  ナット
５４  突出部材
５５  ボルト
５６  長孔
【図１】
2008253661.tif 000003
【図２】
2008253661.tif 000004
【図３】
2008253661.tif 000005
【図４】
2008253661.tif 000006
【図５】
2008253661.tif 000007
【図６】
2008253661.tif 000008
【図７】
2008253661.tif 000009
【図８】
2008253661.tif 000010
【図９】
2008253661.tif 000011
【図１０】
2008253661.tif 000012
【図１１】
2008253661.tif 000013
【図１２】
2008253661.tif 000014
【図１３】
2008253661.tif 000015
【図１４】
2008253661.tif 000016
【図１５】
2008253661.tif 000017